(57)【要約】【課題】運針によるノイズの影響の受けにくい電波修正時計及びその運針方法を提供する。【解決手段】時刻修正に必要な情報を獲得するために、１秒周期のパルスでもって表される、ゼロ秒ポジションマーカ、分情報、時情報、及びその他の情報を１分サイクルで含んだ標準時間電波を受信する受信部と、時刻を表示する針を運針駆動するための駆動部とを備えた電波修正時計の運針方法であって、受信部が電波の受信を開始してからゼロ秒ポジションマーカを検出するまでは、駆動部が針の運針を、６０の約数以外の数の秒数の間隔の周期でもって駆動し、受信部がゼロ秒ポジションマーカを検出した後、受信部が時刻修正に必要な情報を獲得するまでは、駆動部が針の運針を、標準時間電波の１分サイクル内で時刻修正に必要としないその他の情報を含む時間帯に限って駆動する。【選択図】　　　　　図２
2004077333.tif 000002
【特許請求の範囲】
【請求項１】
時刻修正に必要な情報を獲得するために、１秒周期のパルスで表される、ゼロ秒ポジションマーカを含む時刻情報を１分サイクルで含んだ標準時刻電波を受信する受信部と、時刻を表示する針を運針駆動するための駆動部とを備えた電波修正時計の運針方法であって、
前記受信部が前記電波の受信を開始してから前記ゼロ秒ポジションマーカを検出するまでは、前記駆動部が前記針の運針を、１より大きくかつ６０の約数以外の数の秒数の間隔の周期でもって駆動する
ことを特徴とする運針方法。
【請求項２】
時刻修正に必要な情報を獲得するために、ゼロ秒ポジションマーカを含む時刻修正に必要な情報と前記時刻修正に必要な情報と異なるその他の情報を１分サイクルで含んだ標準時刻電波を受信する受信部と、時刻を表示する針を運針駆動するための駆動部とを備えた電波修正時計の運針方法であって、
前記受信部が前記ゼロ秒ポジションマーカを検出した後、前記受信部が時刻修正に必要な情報を獲得するまでは、前記駆動部が前記針の運針を、前記標準時刻電波の１分サイクル内で時刻修正に必要としないその他の情報を含んだ時間帯に限って駆動する
ことを特徴とする運針方法。
【請求項３】
時刻修正に必要な情報を獲得するために、１秒周期のパルスで表される、ゼロ秒ポジションマーカを含む時刻修正に必要な情報と前記時刻修正に必要な情報と異なるその他の情報を１分サイクルで含んだ標準時刻電波を受信する受信部と、時刻を表示する針を運針駆動するための駆動部とを備えた電波修正時計の運針方法であって、
前記受信部が前記電波の受信を開始してから前記ゼロ秒ポジションマーカを検出するまでは、前記駆動部が前記針の運針を、１より大きくかつ６０の約数以外の数の秒数の間隔の周期でもって駆動し、
前記受信部が前記ゼロ秒ポジションマーカを検出した後、前記受信部が時刻修正に必要な情報を獲得するまでは、前記駆動部が前記針の運針を、前記標準時刻電波の１分サイクル内で時刻修正に必要としないその他の情報を含んだ時間帯に限って駆動する
ことを特徴とする運針方法。
【請求項４】
前記６０の約数以外の数が、３６であることを特徴とする請求項１または３に記載の運針方法。
【請求項５】
前記その他の情報を含んだ時間帯が、１月１日からの通算日情報、下２桁年情報、又は、曜日情報を含んだ時間帯であることを特徴とする請求項２または３に記載の運針方法。
【請求項６】
請求項１乃至５のいずれかに記載の運針方法を行なう電波修正時計。
【発明の詳細な説明】
【０００１】
【発明の属する技術分野】
本発明は、運針によるノイズの影響の受けにくく小型化に適した電波修正時計及びその運針方法に関する。
【０００２】
【従来の技術】
現在、日本では総務省通信総合研究所が送信周波数４０ｋＨｚ（福島局）及び６０ｋＨｚ（福岡局）の２つの送信周波数を使用して時刻情報を含んだ長波標準時刻電波（ＪＪＹ）を発信・運用している。この長波標準時刻電波に含まれる時刻情報の信号は、１分間を１サイクルとして、分情報、時情報、１月１日からの通算日情報、パリティ情報、西暦年下２桁情報、曜日情報、うるう秒情報などの情報を含んだバイナリーコードを１秒周期の矩形パルスを使用して直列に送信している。
【０００３】
図３は、この標準時刻電波（ＪＪＹ）に重畳された時刻情報のタイムコード・フォーマットを示す。時刻情報は、１分間サイクルで、１秒周期の矩形パルスで表されバイナリーコードにより表される。１秒周期の各矩形パルスの立下り端（又は、矩形パルスの極性を反対にした場合は、立上り端）が、各秒の開始と同期している。バイナリーコードを構成する１ビット情報の“０”又は“１”は、矩形パルスの幅（継続時間）の８００ｍｓ又は５００ｍｓで表している。マーカＰ情報は、同じ１秒周期のパルス幅が２００ｍｓの矩形パルスを使用して表している。
【０００４】
１分サイクルの始まりと終わりには、２００ｍｓ幅のマーカ信号ＭとＰ０がそれぞれ存在する。従って、連続する２つのマーカ信号Ｐ０とＭの２番目のマーカ信号Ｍがゼロ秒ポジションマーカであり、その立下り端が毎分の始まりを表す。そして、このゼロ秒ポジションマーカＭから次ぎのマーカ信号Ｐ１までの間の矩形パルスにより表されるバイナリーコードが、分情報のコードを表し、Ｐ１から次ぎのマーカ信号Ｐ２までの間の矩形パルスが時情報のコードを表し、Ｐ２から次ぎの２つのマーカ信号Ｐ３とＰ４までの間の矩形パルスが１月１日からの通算日情報及びパリティ情報のコードを表し、Ｐ４から次ぎのマーカ信号Ｐ５までの間の矩形パルスが西暦下２桁のコードを表し、そして、Ｐ５から最後のマーカ信号Ｐ０までの矩形パルスが曜日及びうるう秒のコードを表す。
【０００５】
これらの長波標準時刻電波のいすれか１つを受信検波して時刻情報を獲得すると、正確な時刻を知ることができるから、定期的に時刻情報を含む長波標準時刻電波を受信して時刻修正する装置を持つ電波修正時計が製造されている。電波修正時計は、時刻情報を含んだ長波標準時刻電波を定期的に受信して時刻情報を獲得し、時刻修正に利用している。
【０００６】
しかし、針で時刻をアナログ表示するタイプの電波修正時計では、運針のためのムーブメント機構を有し、このムーブメント機構は１秒間に１ステップ秒運針駆動するためのステップモータを有する。このステップモータは１秒間隔で運針駆動するために、１秒間隔のノイズを発生し、上記した時刻情報を含んだ長波標準時刻電波を受信する際、上記した１秒間隔の矩形パルスと干渉する。この結果、長波標準時刻電波を受信して時刻情報を獲得する操作を困難にして、正しい時刻情報が得られない場合がある。
【０００７】
このため、従来から、長波標準時刻電波を受信するアンテナとステップモータを含んだムーブメント機構を遠ざけて配置する、若しくは、シールド効果のある部品を追加することによりノイズを低減させ、若しくは、標準電波を受信して時刻情報を獲得する間はムーブメント機構のステップモータを完全に停止して針の運針を停止することが提案されている。
【０００８】
さらに、特開２００２−４０１７０号公報に開示されている従来例では、秒針の駆動の出力タイミングを長波標準時刻電波からの秒信号に対して１秒未満の一定時間ずらした１秒周期に設定して、長波標準時刻電波からの秒信号にステップモータの駆動が重ならないようにしている。
【０００９】
【発明が解決しようとする課題】
しかし、上述した従来技術は次ぎのよう問題点が有る。アンテナとムーブメント機構の配置を遠ざける方法では、電波修正時計を小型化する際に問題を生ずる。シールド部品を追加する方法では、新たな部品を必要とし、さらに、電波修正時計を小型化する際に問題を生ずる。長波標準時刻電波を受信して時刻情報を獲得する際にステップモータを完全に停止する方法は、運針が停止するため、ユーザに電波修正時計の電池切れ又は故障と勘違いさせてしまうおそれがある。
【００１０】
特開２００２−４０１７０号公報に開示される秒針の駆動のタイミングを標準電波からの秒信号と重ならないように１秒未満の一定時間ずらす方法では、やはり、ステップモータから１秒周期でノイズが発生する。このため、ノイズが標準電波の複数の異なるパルス幅（８００ｍｓ、５００ｍｓ、２００ｍｓ）の秒信号となお干渉する可能性があり、受信検波された矩形パルスから正しい時刻コードを検波して復号できないおそれがある。
【００１１】
従って、本発明は、上述した従来技術の問題点を解決して、小型化可能で部品点数も増加させることなく、且つ、完全に運針を停止することなく、しかも、標準時刻電波の時刻コードとの干渉を極力低減させた運針方法及び電波修正時計を提供することを目的とする。
【００１２】
【課題を解決するための手段】
上記目的を達成するために、請求項１に記載された本発明は、時刻修正に必要な情報を獲得するために、１秒周期のパルスで表される、ゼロ秒ポジションマーカを含む時刻情報を１分サイクルで含んだ標準時刻電波を受信する受信部と、時刻を表示する針を運針駆動するための駆動部とを備えた電波修正時計の運針方法であって、前記受信部が前記電波の受信を開始してから前記ゼロ秒ポジションマーカを検出するまでは、前記駆動部が前記針の運針を、１より大きくかつ６０の約数以外の数の秒数の間隔の周期でもって駆動する運針方法を提供する。
【００１３】
請求項２に記載された本発明は、時刻修正に必要な情報を獲得するために、ゼロ秒ポジションマーカを含む時刻修正に必要な情報と前記時刻修正に必要な情報と異なるその他の情報を１分サイクルで含んだ標準時刻電波を受信する受信部と、時刻を表示する針を運針駆動するための駆動部とを備えた電波修正時計の運針方法であって、前記受信部が前記ゼロ秒ポジションマーカを検出した後、前記受信部が時刻修正に必要な情報を獲得するまでは、前記駆動部が前記針の運針を、前記標準時刻電波の１分サイクル内で時刻修正に必要としないその他の情報を含んだ時間帯に限って駆動する運針方法を提供する。
【００１４】
請求項３に記載された本発明は、時刻修正に必要な情報を獲得するために、１秒周期のパルスで表される、ゼロ秒ポジションマーカを含む時刻修正に必要な情報と前記時刻修正に必要な情報と異なるその他の情報を１分サイクルで含んだ標準時刻電波を受信する受信部と、時刻を表示する針を運針駆動するための駆動部とを備えた電波修正時計の運針方法であって、前記受信部が前記電波の受信を開始してから前記ゼロ秒ポジションマーカを検出するまでは、前記駆動部が前記針の運針を、１より大きくかつ６０の約数以外の数の秒数の間隔の周期でもって駆動し、前記受信部が前記ゼロ秒ポジションマーカを検出した後、前記受信部が時刻修正に必要な情報を獲得するまでは、前記駆動部が前記針の運針を、前記標準時刻電波の１分サイクル内で時刻修正に必要としないその他の情報を含んだ時間帯に限って駆動する運針方法を提供する。
【００１５】
請求項４に記載された本発明は、請求項１または３の運針方法において、６０の約数以外の数が、３６である運針方法を提供する。
【００１６】
請求項５に記載された本発明は、請求項２または３の運針方法において、その他の情報を含んだ時間帯が、１月１日からの通算日情報、下２桁年情報、又は、曜日情報を含んだ時間帯である運針方法を提供する。
【００１７】
請求項６に記載された本発明は、請求項１乃至５のいずれかに記載の運針方法を行なう電波修正時計を提供する。
【００１８】
【作用】
請求項１に記載された本発明によれば、受信部が電波の受信を開始してからゼロ秒ポジションマーカを検出するまでは、駆動部が針の運針を、１より大きくかつ６０の約数以外の数を持った秒数の間隔、例えば、３６秒間隔、の周期でもって駆動する。このため、駆動部によるノイズの発生は、１より大きい６０の約数以外の数の間隔の周期（例えば、３６秒間隔）でもって発生するのみで、この間隔中においては運針駆動によるノイズは発生しないから、受信部が受信検波する際にステップモータの運針駆動ノイズの干渉を極力抑えることができる。たとえ、ゼロ秒ポジションマーカと本発明の方法による周期的な運針駆動とが１度重なっても、ゼロ秒ポジションマーカの発生周期６０秒で、運針駆動周期は１より大きくかつ６０の約数以外の数を持った秒数の間隔（例えば、３６秒間隔）であるため、次のゼロ秒ポジションマーカの発生タイミングで運針と重なることがなくなり、ゼロ秒ポジションマーカを２回連続して取得できなくなる不都合を回避可能となる。このため、受信部は、標準時刻電波から１秒周期のパルスの検出及びゼロ秒ポジションマーカの検出を駆動部からのノイズ干渉をできるだけ少なくした環境下で行なうことができる。
【００１９】
請求項２に記載された本発明によれば、受信部がゼロ秒ポジションマーカを検出した後、受信部が時刻修正に必要な情報を獲得するまでは、駆動部が針の運針を、標準時間電波の１分サイクル内で、時刻修正に必要としないその他の情報、例えば、１月１日からの通算日数、西暦年下２桁、又は、曜日の情報を含んだ時間帯に限って駆動する。標準時間電波の１分サイクル内には分情報及び時情報等以外の定期的に時刻修正する際には必要がない情報も含まれている。ゼロ秒ポジションマーカの検出後は、標準時刻電波の時刻情報の１分サイクル内からこのような時刻修正に必要としないその他の情報を含んだ信号を受信する時間帯の秒フレームが特定できる。例えば、１月１日からの通算日数の情報はゼロ秒ポジションマーカ後の２０秒フレーム乃至３３秒フレーム、西暦年下２桁の情報は同じく４１秒フレーム乃至４８秒フレーム、曜日の情報は同じく５０秒フレーム乃至５２秒フレームの時間帯に受信される。従って、受信部がゼロ秒ポジションマーカを検出した後は、定期的な時間更新のためには必要がないその他の情報を受信する時間帯に駆動部が針の運針を駆動する。このため、駆動部のノイズによる影響を極力少なくして、標準時刻電波から定期的な時刻修正に必要な分情報や時情報等の時刻情報を獲得することができる。
請求項３に記載された本発明によれば、ゼロ秒ポジションマーカの検出前と検出後とで運針方法を変えるので、請求項１と２に記載された発明の両方の効果を有効に奏することができる。
【００２０】
請求項６に記載された発明によれば、ノイズの発生源の駆動部と受信部とを離間させなくとも、また、シールド部品を付加しなくとも、受信部で定期的に標準時刻電波を受信して時刻情報を抽出する際、時刻情報の抽出を妨げる駆動部による運針の際のノイズの発生を極力減少でき、しかも、時刻情報を受信中に時刻表示をする針の運針を停止する必要がない、小型化可能な電波修正時計が提供される。
【００２１】
【発明の実施の形態】
以下、添付図面を参照して本発明の好適な実施の形態について説明する。
【００２２】
図１は。本発明の１つの実施の形態による電波修正時計１の機能を概略的に示すブロック図である。電波修正時計１は、図３に示す時刻情報を重畳した送信周波数４０ｋＨｚ又は６０ｋＨｚのいずれかの長波標準時刻電波（ＪＪＹ）を受信するための受信アンテナ２と、送信周波数４０ｋＨｚ又は６０ｋＨｚのいずれかに選択的に同調していずれかを受信するための同調回路３と、選択受信された長波標準時刻電波を増幅して検波（復調）する手段を持ち検波された信号ｂを出力する受信部４とを有する。時刻データ抽出部５は、検波された信号ｂから図３に示される１秒周期の矩形パルスの同期の検出とゼロ秒ポジションマーカＭを検出して検出信号ｋを出力し、そしてゼロ秒ポジションマーカＭ後の２０秒フレーム（図３中の３ａ）及び５０秒フレーム（図３中の３ｂ）の時間を示す信号ｈを出力する。時刻データ抽出部５は、さらに検波された信号ｂからその信号のパルス幅に応じた“０”、“１”、“Ｐ”のビットデータを検出し、検出したビットデータｃを出力する。
【００２３】
時刻修正部８は、ビットデータｃをデコードして時刻情報を得て、その時刻情報に基づき、現在時刻記憶部６に記憶された現在時刻の分と時を修正する修正情報ｄを出力すると共に、現在時刻を表示する図示しない秒針、分針、時針を運針駆動するステップモータの表示駆動制御部７に修正信号ｅを出力する。アナログ表示部９は、表示駆動制御部７により運針駆動される図示しない秒針、分針、及び時針でもってアナログ時刻表示を行う。基準信号出力部としての時計部１０は、電波修正時計１内において時刻の基準信号を１秒単位で発生する。動作制御部１１は、定期的な時刻更新のために、現在時刻記憶部６からの現在時刻ｆの情報に基づいて長波標準時刻電波を受信する動作のために受信部４をオン／オフ操作する信号ａを出力する。定期的な時刻更新は、たとえば、毎日、午前２時等、人間の活動と太陽からの雑音が比較的少ない時間に行うことができる。
【００２４】
時刻計数部１２は、時計部１０からの１秒単位の信号が入力され、動作制御部１１から受信部４の受信開始の信号ａが入力され、時刻データ抽出部５から秒周期の同期及びゼロ秒ポジションマーカ検出信号ｋが入力され、表示駆動制御部７に秒針、分針、時針の運針に必要な１秒周期、６秒周期、又は３６秒周期の制御信号ｉを出力し、そして現在時刻記憶部６に現在時刻を計算して記憶するために必要な信号ｇを出力する。
【００２５】
表示駆動制御部７は、受信部４が受信中以外は、１秒周期の制御信号ｉを時刻計数部１２から受けて図示しないステップモータによりアナログ表示部９の図示しない秒針を１ステップ／秒の周期で駆動し、同様に６秒周期の制御信号ｉを時刻計数部１２から受けて図示しないステップモータによりアナログ表示部９の図示しない分針及び時針を１ステップ／６秒の周期で駆動する。表示駆動制御部７は、受信部４が受信中、受信開始後からゼロ秒ポジションマーカＭを検出した信号ｋが時刻計数部１２に出力されるまでは、アナログ表示部９の図示しない秒針の運針駆動を停止し、３６秒周期の制御信号ｉを時刻計数部１２から受けて、アナログ表示部９の図示しない分針及び時針を１ステップ／３６秒の周期で駆動する。受信部４が受信中、ゼロ秒ポジションマーカＭの検出後から時刻修正に必要な時刻情報を時刻修正部８が獲得して時刻修正するまでは、表示駆動制御部７は、時刻データ抽出部５から、ゼロ秒ポジションマーカＭ後の２０秒フレーム（図３の３ａ）及び５０秒フレーム（図３の３ｂ）のタイミングを示す信号ｈを受けて、アナログ表示部９の図示しない分針及び時針を１ステップ／３０秒の周期で駆動する。表示駆動制御部７はまた、時刻修正部８及び現在時刻記憶部６からそれぞれ時刻修正信号ｅ及びｌを受け取ってアナログ表示部９の図示しない秒針、分針、時針の時刻を修正をした後、時刻修正動作が終了したことを通知する信号ｊを時刻計数部１２に出力する。なお、時刻データ抽出部５、現在時刻記憶部６、時刻修正部８、時計部１０、動作制御部１１、時刻計数部１２は図示しないＣＰＵにより実現される機能である。
【００２６】
次ぎに、図２を参照して本発明の１つの実施の形態の方法を説明する。図２は、本発明の１つの実施の形態による電波修正時計の運針方法を示すフローチャートである。この運針方法は、例えば、図１に示す電波修正時計１中に含まれる図示しないＣＰＵにより実行される。
【００２７】
まず、図２に示される方法はスタート後に（ステップ２１）、動作制御部１１からオン信号ａが出力されてなく受信中でないと（ステップ２２）、時計計数部１２からの制御信号ｉに基づいて表示駆動制御部７が運針駆動するタイミングかどうかを判断する（ステップ２３）。受信中でない場合、表示駆動制御部７が運針するタイミングは、時刻計数部１２から出力される１秒周期と６秒周期の制御信号ｉに基づき、秒針が１秒毎、分針及び時針が６秒毎である。運針するタイミングであれば、表示駆動制御部７は時刻計数部１２からの制御信号ｉに基づいて図示しないステップモータによりアナログ表示部９の秒針を１ステップ／１秒の運針駆動し、分針及び時針を１ステップ／６秒の運針駆動をする（ステップ２４）。もし、運針するタイミングでなければ、動作制御部１１は現在時刻記憶部６の時間が定期的な受信時刻に到達したかどうかを判断し（ステップ２５）、受信時刻になっていなければステップ２２に戻る。受信時刻は、例えば、毎日、午前２時等、人間の活動及び太陽からの雑音が比較的少ない時間帯を選んで行うことができる。現在時刻記憶部６の時間が受信時刻に達したならば、動作制御部１１はオン信号ａを出力し、この出力により時刻計数部１２は１秒周期と６秒周期の制御信号ｉの出力を停止し、表示駆動制御部７による秒針の運針駆動を停止して（ステップ２６、２７）、ステップ２２に戻る。
【００２８】
オン信号ａが出力されていてステップ２２で受信中の場合、受信部４はオン信号ａに応じて受信部４の回路を起動する（ステップ２８）。時計計数部１２へのオン信号ａの入力により、時計計数部１２は受信中以外の場合の１秒又は６秒間隔の運針駆動の制御信号ｉを出力していたのを、受信中の場合の３６秒間隔の運針駆動の制御信号ｉの出力に切り換える。そして、時刻計数部１２の時間が３６秒間隔の運針同期に一致したならば（ステップ２９）、表示駆動制御部７がアナログ表示部９の分針及び時針を３６秒間隔で運針駆動する（ステップ３０）。
【００２９】
次ぎに、時刻データ抽出部５が受信部４で受信・増幅・検波された図３に示す信号ｂから、ビットデータを符号化するために１秒間隔の同期を行なう。受信部４により検波された信号ｂは、図３に示すように矩形パルス（タイムコード）の立下り端がノイズ等の干渉がなければ正確に１秒周期となっている。時刻データ抽出部５は、検波信号ｂの矩形パルス（タイムコード）の立下り端から次ぎの立下り端までの経過時間を内部のストップウオッチタイマーでカウントする。この内部のストップウオッチタイマーは任意のタイミングでスタートとストップができ、カウントは１０ｍ秒の分解能を有する。連続した矩形パルス（タイムコード）の立下り端の間隔が１秒に対して許容差（本実施の形態の許容差は、±２０ｍ秒）以内であった場合、１秒の同期が取れた、すなわち矩形パルスの発生タイミングに対してストップウオッチタイマーのカウント開始タイミングの同期が取れたと判断し、これ以降ストップウオッチタイマーは矩形パルスの発生タイミングに同期した１秒間隔で自律的にカウントリセット動作を行なう（ステップ３１）。もし、時刻データ抽出部５が上述したように信号ｂ中に１秒間隔に同期した矩形パルスを検出しなかった場合は、それは図３に示される矩形パルス（タイムコード）を含んだ信号の受信にまだ成功していないと判断され、ステップ２９に戻る。
【００３０】
時刻データ抽出部５において１秒の同期が取れた場合、それは受信部４が図３に示されるタイムコードを含んだ信号の受信に成功したことを意味し、次に時刻データ抽出部５は、ゼロ秒ポジションマーカＭの検出のために、図３に示す矩形パルス（タイムコード）の立上り端が発生したときのストップウオッチタイマーのカウント値として示される矩形パルスの継続時間、すなわち、パルス幅を計測する。時刻データ抽出部５は図３に示す矩形パルス（タイムコード）の立上り端が発生したときのストップウオッチタイマーのカウント値が、“６５０ｍ秒〜９９０ｍ秒”に入っていたら“０”、“３５０ｍ秒〜６４０ｍ秒”　に入っていたら“１”、“０ｍ秒〜３４０ｍ秒”　に入っていたら“Ｐ”の３通りを判別するように設定している。これらは、図３中の３種類の矩形パルス（タイムコード）のパルス幅、８００ｍ秒、５００ｍ秒、２００ｍ秒にそれぞれ対応していて、バイナリーコード“０”、バイナリーコード“１”、ポジションマーカ“Ｐ”にそれぞれ対応しいている。時刻データ抽出部５のストップウオッチタイマーが、１秒周期で連続した２つのポジションマーカ“Ｐ”を検出した場合、２番目のポジションマーカがゼロ秒ポジションマーカＭであり、０秒位置が取得される。ゼロ秒ポジションマーカＭが検出されて、０秒位置が取得され、ゼロ秒ポジションマーカ検出信号ｋが出力されると、時刻計数部１２は３６秒周期信号ｉを表示駆動制御部に出力することを停止する。
【００３１】
時刻データ抽出部５がゼロ秒ポジションマーカＭを検出するまでの間に、時刻計数部１２の時間が３６秒間隔の運針同期に達したならば（ステップ３２）、表示駆動制御部７がアナログ表示部９の分針及び時針を３６秒間隔で運針駆動する（ステップ３３）。もし、ゼロ秒ポジションマーカＭを検出した検出信号ｋを受け取らなければ、ステップ３２に戻る。
【００３２】
このように、受信部４が受信中は、検波信号ｂ中の矩形パルスから１秒同期が取れ、そして、ゼロ秒ポジションマーカＭが検出されて、０秒位置が取れるまでは、１秒より長い３６秒間隔で分針及び時針を運針駆動する。これにより、運針駆動に伴なうノイズの発生を極力少なくしている。また、ゼロ秒ポジションマーカＭが６０秒周期であるため、ゼロ秒ポジションマーカＭが３６秒周期の運針駆動とたとえ重なることがあっても、２度連続してこれらが重なることを防ぐことができる。このようにして、図３に示されるタイムコードを含んだ信号の受信の成功とゼロ秒ポジションマーカＭの検出とを容易にしている。
【００３３】
時刻係数部１２が時刻データ抽出部５からゼロ秒ポジションマーカを検出した検出信号ｋを受け取ったならば（ステップ３４）、時刻計数部１２は３６秒周期信号ｉを表示駆動制御部に出力することを停止する。そして、表示駆動制御部７は、時刻データ抽出部５からゼロ秒ポジションマーカＭ検出後の２０秒フレーム（図３中３ａ）及び５０秒フレーム（図３中３ｂ）のポジションを示す信号ｈを受け取ったかどうかを判断し（ステップ３５）、受け取ったならば、表示駆動制御部７はアナログ表示部９の図示しない分針と時針を１ステップ／３０秒の周期で運針駆動する（ステップ３６）。このように、１分サイクルで受信される時刻情報中で、定期的な時刻修正に必要でない情報、例えば、１月１日からの通算日数、西暦年下２桁、又は、曜日の情報を含む秒フレームの時間帯に限って、分針及び時針を運針駆動するため、これにより、運針駆動に伴なうノイズが受信信号と干渉して、時刻データ抽出部５が定期的な時刻修正に必要な、時情報、分情報、及びパリティ情報等を獲得できなくなることを回避している。
【００３４】
時刻修正部８は、時刻データ抽出部５から出力される“０”、“１”、“Ｐ”のビットデータをデコードして時刻情報を獲得し、獲得された時分情報ｄで現在時刻記憶部６に記憶された現在時刻を修正し、表示駆動制御部７に修正信号ｅを送る。表示駆動制御部７は、修正信号ｅを受けたならば、現在時刻記憶部６からの修正された時情報と分情報ｌに基づいて、アナログ表示部９の時針と分針の位置を修正し、秒針をゼロ秒位置に置き（ステップ３８）、そして、次ぎのゼロ秒ポジションマーカ検出信号ｋ後に通常の秒針、分針、時針の運針を開始するため、受信終了信号ｊを時刻計数部１２に送り、オン信号ａをオフ状態にし、受信部４をオフして終了する（ステップ３９）。もし、時刻修正データ抽出部５が、時刻修正に必要な時情報及び分情報を獲得できなければ、ステップ３５に戻る。
【００３５】
このように、本発明の方法によれば、受信を開始してからゼロ秒ポジションを取得するまで、秒針の運針駆動を停止し、時針と分針のみを３６秒周期信号（又は、１より大きい６０の約数でない他の数の秒周期信号）で運針駆動する。このため、受信信号からの１秒周期信号の獲得を運針駆動に伴なうノイズの影響を極力少なくして行なうことができる。また、たとえ６０秒周期のゼロ秒ポジションマーカと３６秒周期の時針と分針の運針駆動が重なって、運針駆動の際のノイズにより受信信号からゼロ秒ポジションマーカを検出できないことがあっても、２度連続して両者が重なることはないため、容易にゼロ秒ポジションマーカを検出できる。さらに、ゼロ秒ポジションマーカの検出後は、運針周期が３６秒のままであると、運針駆動の際のノイズの影響により受信した信号のビットデータの信頼性が低下する可能性がある。つまり、３６秒周期の運針駆動によるノイズと時情報や分情報やパリティ情報等を表すビットデータとが時間的に重なると、データを正確に検出できなくなる可能性が有る。このため、ゼロ秒ポジションマーカの検出後は、時刻情報やパリティ情報等の定期的な時刻修正のために電波修正時計が取得予定しているデータが含まれる秒フレームを外して、分針と時針を運針駆動させる。上記の実施の形態では、２０秒フレームの発生タイミングと５０秒フレームの発生タイミングで分針と時針を１ステップ／３０秒周期で運針駆動している。このように、受信中の運針タイミングを時刻修正に必要なタイムコードに影響を与えないタイミングに選択すると、ノイズ発生のない安定した受信状態で時刻修正に必要な時刻情報を獲得できる。
【００３６】
以上、本発明を好適な実施の形態について説明したが、本発明は上述の実施の形態に限定されるものではない。例えば、上記の実施の形態では、受信開始からゼロ秒ポジションマーカの検出までは、３６秒間隔で分針及び時針を運針駆動するとしたが、この３６秒間隔の他に１より大きい６０の約数でない他の数、例えば、２４秒間隔又は４２秒間隔で運針してもよい。
【００３７】
また、上記の実施の形態では、ゼロ秒ポジションマーカＭの検出後から時刻修正に必要な時刻情報を時刻修正部８が獲得して時刻修正するまでは、表示駆動制御部７は、時刻データ抽出部５から、ゼロ秒ポジションマーカＭ後の２０秒フレーム及び５０秒フレームを示す信号を受けて、２０秒と５０秒フレームに限って、アナログ表示部９の図示しない分針及び時針を１ステップ／３０秒の周期で駆動するとしたが、これに代えて、時刻修正に必要のない他の情報を含んだ秒フレームを使用することもできる。例えば、時刻修正に必要な情報としてカレンダ情報（１月１日からの通算日、西暦下２桁、曜日等）が含まれる場合、５７秒フレームのタイミングで運針するようにしてもよい。
【００３８】
なお、本発明の方法は、電波修正時計が定期的に時刻を修正するために電波を受信する際に使用される。電波修正時計がリセットされるような場合は、秒針、分針、及び時針の運針を完全に停止して電波を受信することができる。リセット時に運針を停止したとしても、ユーザは時計の電池切れとか故障が発生したと誤解することはないからである。
【００３９】
【発明の効果】
本発明の電波修正時計の運針方法によれば、定期的な標準時刻電波の受信中に運針駆動するステップモータによるノイズの発生を極力少なくでき、時刻情報の獲得を妨げない。本発明によれば、シールド部品等の部品を追加することなく、受信部と駆動部を近接配置しても受信部が駆動部のステップモータによる運針駆動のノイズの影響を受けずに時刻情報を獲得できるため、アナログ型電波修正時計の小型化に適している。
【図面の簡単な説明】
【図１】本発明の１つの実施の形態による電波修正時計の構成を概略的に示すブロック図。
【図２】本発明の１つの実施の形態による電波修正時計の運針方法を示すフローチャート。
【図３】長波標準時刻電波により送信される時刻情報を含んだタイムコード・フォーマット。
【符号の説明】
１　　電波修正時計
２　　受信アンテナ
３　　同調回路
４　　受信部
５　　時刻データ抽出部
６　　現在時刻記憶部
７　　表示駆動制御部
８　　時刻修正部
９　　アナログ表示部
１０　時計部
１１　動作制御部
１２　時刻計数部
【図１】
2004077333.tif 000003
【図２】
2004077333.tif 000004
【図３】
2004077333.tif 000005